(57)【要約】【課題】主に屋外で使用する電子機器のケース１において，当該電子機器の情報を表示する構造であって，雨風に強く，簡単で且つ安価に表示することが可能な表示板１８の構造を有する電子機器のケース１。【解決手段】前記ケース１の外面側に設けられた凹部６ｂと，前記凹部６ｂを覆うように設けられた表示板１８と，を備えた電子機器のケース１において，前記凹部６ｂには，前記電子機器の情報を表示する情報手段を備えるとともに，前記表示板１８の前記凹部６ｂと相対向した位置には表示部１８ａを設け，前記表示板は透明に形成して，前記情報の確認を用意にする。また別案として，前記表示板１８は，前記表示部１８ａを透明に形成し，前記表示部１８ａを除いた部分を着色することで，前記情報の確認が容易にできるとともに，デザイン性が良く，雨風に強い，電子機器の情報を表示する表示板１８の構造を備えた電子機器のケース１を提供する。【選択図】　図４
2004022953.tif 000002
【特許請求の範囲】
【請求項１】
電子回路を収納する電子機器のケースと，前記ケースの外面側に設けられた凹部と，前記凹部を覆うように設けられた表示板と，を備えた電子機器のケースにおいて，
前記凹部は前記電子機器の情報を表示する表示手段を備え，
前記表示板は透明に形成されたことを特徴とした電子機器のケース。
【請求項２】
請求項１記載の電子機器のケースにおいて，
前記凹部は前記電子機器の情報を表示する表示手段を備え，
前記表示板は透明に形成されるとともに，前記表示板には，前記凹部と相対向した位置の近傍であって，前記凹部に設けた表示手段と重ならない位置に，前記電子機器の情報を予め表示したことを特徴とした電子機器のケース。
【請求項３】
請求項１記載の電子機器のケースにおいて，
前記凹部は前記電子機器の情報を表示する表示手段を備え，
前記表示板は，前記凹部と相対向した位置は透明に，前記透明部分以外は着色されるよう構成されるか，もしくは，
前記表示板は，前記凹部と相対向した位置は透明に，前記透明部分以外は着色するよう構成されるとともに，前記透明部分の近傍であって，前記凹部に設けた表示手段と重ならない位置に，前記電子機器の情報を予め表示したことを特徴とした電子機器のケース。
【請求項４】
請求項１乃至請求項３のそれぞれに記載の電子機器のケースにおいて，
前記表示板の裏面には前記ケースと当接する面であって前記凹部と相対向する面を除いた範囲内に粘着剤が備えられ，当該粘着剤でもって前記ケースに固着するようにしたことを特徴とした電子機器のケース。
【発明の詳細な説明】
【０００１】
【発明の属する技術分野】
本発明は，主に屋外使用のテレビ共同受信機器に用いられる電子機器のケースにおいて，前記電子機器の情報を表示する表示板を備えた電子機器ケース構造に関する。
【０００２】
【従来の技術】
この種の電子機器には，動作状態でその動作状態のチェックを行ったり，各種調整を行ったりすることがある。そこで，図１６に示すようにケース１内の回路基板に，例えばモニター端子を設けたり，利得調整ボリュームを設けたりするとともに，これらの部品と対向するケース箇所にねじ孔１４を設け，このねじ孔１４を利用して，レベルの測定を行ったり，操作部材１１ａを回転させることで利得調整を行ったりしている。この時，モニター端子の結合量や，利得調整が可能な範囲等の情報は，ケース１の外面側に設けられた表示板１８に表示されていて，レベルの測定や利得調整が簡単に行うことができるようになっている。ところが，電子機器が特定地域向け，例えばチャンネル専用のフィルターであるとか，コンバーターのように特定チャンネルを周波数変換して別のチャンネルに変換するような電子機器は，少量多品種の生産となることが多く，ケース１は共通にして，ケース１に収納された電子回路を夫々の地域に対応するように設計していた。そしてこの時，電子機器の特性の違いを表示するのに，予め作成してあった表示手段６ｃ（例えば，ラベル）を表示板１８に貼り付けたり，ハンコ等で直接表示板上にインクを用いて表示したりする方法が用いられていた。
【０００３】
【発明が解決しようとする課題】
しかしながら，従来の方式のように表示板にラベルを貼ったり，ハンコで押して表示されたものは，使用中に風雨にさらされ，ラベルが剥がれて無くなったり，インクが色あせたりして，何が書かれているのかが分からなくなる場合があった。また，少量多品種の電子機器に対応できるようにたくさんの種類の表示板を作ることは，表示板がコストアップとなる要因となっていた。そこで本願においては上記従来技術の問題点を解決するためになされたものであり，
その目的は，電子回路を収納する電子機器のケースを提供することにある。
他の目的は，屋外での使用を主とした電子機器のケースを提供することにある。
他の目的は，壁面およびマストの何れに対する取付も可能な電子機器のケースを提供することにある。
他の目的は，動作状態で点検や調整ができる電子機器のケースを提供することにある。
他の目的は，ケースには点検用のねじ孔を設けるとともに，このねじ孔に蓋体を着脱可能に取付けた電子機器のケースを提供することにある。
他の目的は，蓋体を取り外したときに，取り落としの無いように，蓋体とケースを連結手段により接続した電子機器のケースにおける蓋体の繋ぎ止め構造を提供する。
他の目的は，前記連結手段は，蓋体をケースに締め付けたときに，ケース内に収納されるように構成された電子機器のケースにおける蓋体の繋ぎ止め構造を提供する。
他の目的は，前記連結手段は，蓋体をケースのねじ孔で回転させるときに，略一定の形状を保つように構成された電子機器のケースにおける繋ぎ止め構造を提供することにある。
他の目的は，雨風に強い，電子機器の情報を表示する表示板の構造を備えた電子機器のケースを提供することにある。
他の目的は，電子機器の情報の表示が，安価で容易にできる表示板の構造を備えた電子機器のケースを提供することにある。
他の目的は，少量多品種な機種に，簡単，且つ，安価に対応可能な表示板の構造を提供することにある。
【０００４】
【課題を解決するための手段】
上記課題を解決するために，請求項１の発明は，電子回路を収納する電子機器のケースと，前記ケースの外面側に設けられた凹部と，前記凹部を覆うように設けられた表示板と，を備えた電子機器のケースにおいて，前記凹部は前記電子機器の情報を表示する表示手段を備え，前記表示板は透明に形成される。
【０００５】
請求項２の発明は，請求項１記載の電子機器のケースにおいて，前記表示板は透明に形成されるとともに，前記表示板には，前記凹部と相対向した位置の近傍であって，前記凹部に設けた表示手段と重ならない位置に，前記電子機器の情報を予め表示したことを特徴とした電子機器のケース。
【０００６】
請求項３の発明は，請求項１記載の電子機器のケースにおいて，前記凹部は前記電子機器の情報を表示する表示手段を備え，前記表示板は，前記凹部と相対向した位置は透明に，前記透明部分以外は着色されるよう構成されるか，もしくは，前記表示板は，前記凹部と相対向した位置は透明に，前記透明部分以外は着色するよう構成されるとともに，前記透明部分の近傍であって，前記凹部に設けた表示手段と重ならない位置に，前記電子機器の情報を予め表示するよう構成される。
【０００７】
請求項４の発明は，請求項１乃至請求項３のそれぞれに記載の電子機器のケースにおいて，前記表示板の裏面には前記ケースと当接する面であって前記凹部と相対向する面を除いた範囲内に粘着剤が備えられ，当該粘着剤でもって前記ケースに固着するよう構成される。
【０００８】
【発明の実施の形態】
以下に，本発明を具体化した実施形態の１例を，図面を基に詳細に説明する。図４は本願のケースの正面図を示し，図５は本願のケースを壁面に取付けたときの側面図を示す。１はケースであり，本願では高周波機器の一例として示すテレビ受信用増幅器を示し，壁面２にねじ取付部３を当接させ，ねじ孔３ｂに止着ねじ３ａ挿通させ止着することができる。１８は表示板，１８ａは表示部，２０は蓋体である。このテレビ受信用増幅器のケース１は一例としてアルミニウム製のもので形成されており，前面が開放されたケース本体４と，ケース本体４の開放部を覆うようにケース本体４に対し止着ねじ５によって止着されたカバー６とから成る。ケース本体１の底面側にはＦ型コネクター４１とアース接続端子４２が設けられている。尚，本願のケースは周知のマスト取付部材（例えば，Ｕ字型ボルトなど）を利用してマストにも取付可能である。また，ケース１の材料はアルミニウム製に限定されるものではなく，例えば合成樹脂材料（一例として，ＡＥＳ）で形成されても良い。
【０００９】
図７に示すように，ケース本体４にはカバー６とケース本体４が当接する周縁部に凹溝１８が設けられており，当該凹溝１８には防水パッキン１０が取付けられ，本願の高周波機器の防水性を確保している。このケース本体４において，５ｂは止着ねじ５を締め付けるねじ穴，４１はＦ型コネクター，４２はアース接続端子，７はケース本体内部から立設させた支持柱である。８はケース本体４の中空部に収められた高周波回路を示し，周知の如くねじ棒７ａによって支持柱７に固定された回路基板９と回路基板９に取付けられた多数の回路要素９ａとからなる。尚１１は被調整回路要素で，一例として可変抵抗器を示す。１１ａはその回転軸で，操作部材の一例として示される。
【００１０】
次に，図６に示すように，カバー６にはカバー６とケース本体４が当接する周縁部に凹溝１２が設けられており，当該凹溝１２にはシールドメッシュ１３が取付けられ，本願の高周波機器の外部雑音や妨害電波に対するイミュニティーを確保している。またカバー６には，点検用のねじ孔１４が，前記操作部材１１ａ等と対向する位置に穿設してある。５ａは止着ねじ５を挿通する挿通孔である。１５はケース内に設けられた係止手段（後述で詳細に説明する。）であり，連結手段３０の一方端を係止する。
【００１１】
次に，本願における表示板の取付構造の実施例について図１，２，３を用いて詳細に説明する。図１はケース１の正面図であり，カバー６には表示板が取付けられていない状態を示す。６ａは表示板を取付ける位置を示す第１の凹部で，その形状は表示板が張り易いように，表示板の外形よりやや大きくなるよう形成されている。６ｂは第２の凹部であり，前記第１の凹部６ａより一段低くなるよう形成されている。前記第２の凹部６ｂは，電子機器が持つ機能上の情報を表示する後述の表示手段６ｃを配置する場所である。
【００１２】
従来では，例えば前記電子機器の具体例としてのフィルターや周波数変換器のように，同じケース１を使用して少量多品種の製品を生産する場合，前記表示板１８に機能上の性能をすべて表示することは，電子機器の種類の数だけ表示板１８を作る必要が生じ，表示板のコストアップとなるし，在庫管理の煩雑さを招いていた。そこで本願では図２に示す如く，表示手段６ｃの一例として，機種ごとに変わるフィルターの通過帯域や，周波数変換器の出力チャンネル等の表示がされた小型のラベル等（以下，表示手段のことをラベルと呼ぶ）を予め準備しておき，当該ラベル６ｃを前記第２の凹部６ｂに貼り付け表示し，更には，前記第２の凹部を覆う大きさの表示板１８をカバー６の前記第１の凹部６ａに貼り付けることで，簡単にしかも安価に，雨風にも耐え得る表示板構造を形成している。また，前記第２の凹部６ｂは四隅のＲ形状が変えてあり，上記ラベル６ｃにも同様の形状に加工をすることで，前記ラベル６ｃの貼り付け作業時の逆付け防止と作業効率の改善を図っている。
【００１３】
次に，図２において１８は表示板であり合成樹脂製材料（例えば，ＰＥＴ）で形成されている。当該表示板１８の前記第１の凹部６ａと密着させる面側には，前記凹部と相対向する位置は除いて両面テープ等の粘着テープが備えられ，図２に示す如く，前記表示板１８は当該粘着テープによって前記第１の凹部６ａに取付けられるよう構成されている。表示板１８は電子機器の機能上の情報（例えば，規格表など）を表示するだけでなく，メーカー名や製品の型式等が表示されているとともに，ケース１のデザインの一部を構成している。更に本願においては，前記第２の凹部６ｂに配置したラベル６ｃを保護する役割も持たせてある。つまり１８ａは前記第２の凹部６ｂに表示されたラベル６ｃの表示部であって，前記表示板１８と一体に形成されるとともに，カバー６の前記第２の凹部６ａに相対向した位置にあって，その大きさも前記第２の凹部６ａとほぼ同じかやや大きく形成されることで，前記第２の凹部の表示手段（本願の実施例においてはラベル）６ｃを保護しているのである。１８ｂは前記点検用の蓋体用孔である。
【００１４】
次に，図３を用いて前記表示板１８をカバー６の第１の凹部６ａに貼り付けた時の詳細な説明を行う。前記表示板１８をカバー６の第１の凹部６ａに貼り付けると，上述のように前記第２の凹部６ｂと前記表示板１８の前記表示部１８ａが相対向して配置される。この時，例えば前記表示板１８を透明な合成樹脂材料（例えば，ＰＥＴ）で形成すれば，上述に示す例のような，前記第２の凹部６ｂにラベル６ｃで表示した電子機器の機能上の情報が，表示板１８の表示部１８ａから容易に確認できるとともに，前記第２の凹部に貼ったラベル６ｃが雨風等によって剥がれることがなく，情報表示の構造において対候性の良いものができる。
【００１５】
また，前記透明の表示板１８を使用する場合における別の実施例を示すと，例えばＣＨ９のように表示する項目の場合，「ＣＨ」表示のような共通に用いる用語は，予め表示板の前記表示部１８ｂの近傍に表示して，「９」のように機種ごとに変更する必要がある項目については，ラベル６ｃを前記第２の凹部６ｂに貼り付けることで，更にラベル６ｃの小型化が可能となりコストダウンが可能である。
【００１６】
更に，表示板１８の別の実施例を述べると，表示板１８の前記表示部１８ａは透明に，前記表示部１８ａを除く部分は，例えば黒色に着色することで，デザイン性にも優れ，前記第２の凹部６ｂに表示された電子機器の機能上の情報も容易に視認できるし，雨風等の対候性にもより優れた効果が得られるようになる。更に，上述の如く表示内容の共通に用いる用語は，予め表示板１８の前記表示部１８ａの近傍に表示する方法であれば，前記第２の凹部に貼るラベル６ｃの更なる小型化によってコストダウンが可能となる。
尚，本願に示す表示板１８，ケース１のカバー６に設けた第２の凹部６ｂ，表示手段６ｃ及び表示部１８ａ等の形状，色，配置，材料，及び表示内容等は一例であり，上記実施例に限定されるものではない。
【００１７】
次に，蓋体について図８を用いて説明する。２０は蓋体であり，本願では真鍮にニッケルメッキを施したもので形成されており，図８示される如く上記ねじ孔１４を塞ぐに十分な大きさに形成してある。２１は雄ねじを示し，前記ねじ孔１４の雌ねじと螺合するように形成されている。２２は蓋体２０の表面となる側に形成した嵌合溝を示す。ねじ軸２３の基部には防水用のＯリング２４を嵌める溝２５を形成している。２６はねじ穴で後述の連結手段３０の止部をねじで止着するものである。
【００１８】
次に，連結手段について図９を用いて説明する。３０は連結手段を示し，これにおいて３１は係止部，３２は連結部，３３は止部で，本願では合成樹脂製材料（例えば，ＰＥＴ）で図９に示す如く薄板状に形成されている。次に，連結部材３０を蓋体２０に連結する方法について図１０を用いて述べる。３３は連結手段３０の他方端に設けられた止部で，前記蓋体２０のねじ先（ケース本体内の中空部と対向する面）に形成されたねじ穴２６に止着ねじ２７でもって取付けられている。この時，前記止着ねじ２７の軸部の寸法が，前記ねじ穴２６の雌ねじ形成部分よりやや長くなるように形成され，止着ねじ２７のねじ頭と前記蓋体２０のねじ先が当接しないよう構成されるとともに，止部３３に形成された挿通孔３３ａの直径が，前記止着ねじ２７の直径よりやや大きくなるように形成されているので，連結手段３０と蓋体２０は相対的な回転が可能となる。蓋体２０に連結手段３０の止部３３を取付けたあと，連結手段３０をカバー６に形成された前記ねじ孔１４に挿通してから，蓋体２０をねじ孔１４に締め付ける。次に，連結手段３０の係止部３１をカバー６に設けられた係止手段１５に係止する。
【００１９】
次に，連結手段３０の係止部３１の係止方法について図６，図９及び図１１をもとに詳細に説明する。３１は連結手段３０の一方端に設けられた係止部であり，カバー６に設けられた前記係止手段１５に係止される。係止手段１５はカバー６の内側にカバー６と同一材料で一体に設けられた例を示したもので，図６及び図１１に示す如く断面略逆Ｌ字型に突設させた係止片１６，１７を相対向させるよう形成されており，夫々の係止片の基部１６ａと１７ａ間の寸法をＬ１，夫々の係止片の端部１６ｂと１７ｂ間の寸法をＬ２となるよう形成されている。
【００２０】
次に，連結手段３０には，図９に示すように凹部３４が設けられている。ここで，連結手段３０の軸線にたいして，係止部３１の幅をＷ１，凹部３４間の幅をＷ２とする。まず，図１１に示す如く連結手段３０の凹部３４部分で連結手段３０を略９０度曲げる。つぎに，凹部３４と上記係止片の端部１６ｂと１７ｂとが嵌合するよう配置する。次に，凹部３４が係止片の長手方向に向かって圧接されるよう係止部３１を押し込む。こうして連結手段３０の係止部３１は，上記係止片の基部１６ａと１７ａの間に収納される。この時，係止部３１の幅Ｗ１を係止片の基部１６ａと１７ａ間の寸法Ｌ１よりやや大きくなるように形成し，凹部３４間の幅Ｗ２を係止片の端部１６ｂと１７ｂ間の寸法Ｌ２よりやや大きくなるように形成することで連結手段３０は係止手段１５に確実に挟持される。
【００２１】
次に，連結手段３０の取付状態について図１２及び図１３について詳細に説明する。上述のようにカバー６の内側と蓋体２０は連結手段３０を介して連結される。従って，連結手段の軸方向の長さは，蓋体２０をカバー６のねじ孔１４から取り外したときに，当該ねじ孔１４から操作部材１１ａの操作を行おうとするときに，前記蓋体２０が操作の邪魔にならない長さであって，蓋体２０をカバー６のねじ孔１４に締め付けたときに，回路基板９に取付けられた多数の回路要素９ａに触れないように決める必要がある。この結果，蓋体２０をカバー６のねじ孔１４に締め付けたときの，連結手段３０の収納時の形状は図１２に示すようになる。
【００２２】
連結手段３０は本願では合成樹脂製材料（例えば，ＰＥＴなど）を用いて形成されており，その厚さは本願では略０．２ｍｍと薄く，連結手段３０の軸方向の曲げに対しては自在にまげることができ，上述のような収納時の形状となる。しかし，本願の連結手段３０は図９の示すように薄板状に形成されているので，連結手段３０の軸方向に直角方向の曲げは自在にできない。つまり，前記蓋体２０をカバー６のねじ孔１４から取り外すために，蓋体２０を回転させている間，連結手段３０には，収納時と同じ略一定形状を保とうとする力が働く。更に加えて，上述に述べたように，連結手段３０と蓋体２０は相対的な回転が可能となるよう構成されているので，蓋体２０がカバー６のねじ孔１４に締め付けられるときも，取り外されるときも，連結手段３０は略一定形状を保つ。
【００２３】
次に，連結手段３０の他の実施例について図１４を用いて説明する。なお機能上前図のものと同一または均等構成の部分には同一の符号を用いて説明を省略した。
図１４に示すように，連結手段３０は係止部３１，連結部３２，止部３３，凹部３４，当付部３５から成り，本願では合成樹脂製材料（例えば，ＰＥＴ）で薄板状に形成されている。係止部３１，連結部３２，止部３３の構成は上述の如くである。
連結手段３０は，図１５に示すようにケース内に収納される。このため，連結部３２がばねの働きをして，係止部３１が係止手段１５から外れようとする方向に力が加えられる。この実施例はこれに対応するものである。
連結手段の係止部３１がカバー６の係止手段１５に係止されると，当付部３５は図１５に示すように，係止手段１５から回路基板９方向に突出した状態となる。当付部３５の軸方向の長さは，係止部３１が係止手段１５に係止された状態で，当付部３５の端部３５ａが，ケース本体４に設けられたボスまたはリブ７ｂ，或いは，回路基板９（本願の実施例においてはリブ７ｂ）に当接するように形成されており，連結部３２のばねの働きによって，連結手段３０の係止部３１が係止手段１５から外れようとする力を押えることができ，連結手段３０をより確実に係止できる。
【００２４】
次に，上述以外の実施例について例をあげる。まず，連結手段３０の他の素材例について説明する。本願のケースの実施例はアルミダイカストで形成されており，上述の如くカバー６とケース本体４の当接する周縁部にはシールドメッシュを設け，ケースの外部雑音や妨害電波に対するイミュニティーを重視した構成となっている。従って，連結手段３０も金属製で薄板状に形成したものでもよい。
次に，ケース１が合成樹脂製材料（例えば，ＡＢＳ）で構成されている場合について説明する。この場合，外来雑音や妨害電波に対するイミュニティーを確保するためには，回路要素９ａを備えた回路基板９を周知のシールドケースに収納してユニット状に構成する。これにより，軽量でシールド性に優れたケースが提供できる。この時，蓋体１４も合成樹脂製材料（例えば，ＡＢＳ）で形成されていてもよく，連結手段３０も合成樹脂製材料（例えば，ＰＥＴ）を使用することで，ケースの一層の軽量化がはかれる。
尚，本願に示すのは実施例であり，例えばケース１，連結手段２０，係止手段１５等の形状，厚み，材料等は上述の限りではない。
【００２５】
次に，上記構成のものにあって操作部材１１ａの操作を行おうとする場合には，図１２の状態にある蓋体２０の嵌合溝２２に，例えばドライバーを当てがって蓋体２０を回動させ，これを図１３のようにケース１から外す。この後操作部材１１ａを操作する。
操作が終わったならば，再び連結手段３０（連結部３２）をねじ孔１４からケース１内に収納して，蓋体２０をねじ孔１４に螺着すれば良い。
本願においては，ねじ孔１４から操作するものとして，利得調整等に使用する可変抵抗器の例を示したが，例えば，アッテネーター等の入り切りを切換えるスライドスイッチの操作用ノブが置かれてもよいし，更にまた，レベル等をチェックする為のコネクターが配設されてもよい。チェックにあたってはねじ孔１４を通して対応プラグを挿入し，接続してレベル測定をする。レベルチェック完了後はコネクターからプラグを離し，回収後，ねじ孔に蓋体２０を螺着する。
【００２６】
尚，本発明は上記実施の形態に限定されるものではなく，本発明の趣旨を逸脱しない範囲で各部の用途や形状を適宜に変更して実施することも可能である。
【００２７】
【発明の効果】
以上詳述したように，請求項１の発明によれば，電子回路を収納する電子機器のケースと，前記ケースの外面側に設けられた凹部と，前記凹部を覆うように設けられた表示板と，を備えた電子機器のケースにおいて，前記凹部は前記電子機器の情報を表示する表示手段を備え，前記表示板は透明に形成したので，雨風に強い，電子機器の情報を表示する表示板の構造を備えた電子機器のケースを提供することができる。
【００２８】
請求項２の発明によれば，請求項１記載の電子機器のケースにおいて，前記凹部は前記電子機器の情報を表示する表示手段を備え，前記表示板は透明に形成されるとともに，前記表示板には，前記凹部と相対向した位置の近傍であって，前記凹部に設けた表示手段と重ならない位置に，前記電子機器の情報を予め表示したので，安価で容易な表示板の構造を備えた電子機器のケースを提供できる。
【００２９】
請求項３の発明によれば，請求項１記載の電子機器のケースにおいて，前記凹部は前記電子機器の情報を表示する表示手段を備え，前記表示板は，前記凹部と相対向した位置は透明に，前記透明部分以外は着色されるよう構成されるか，もしくは，前記表示板は，前記凹部と相対向した位置は透明に，前記透明部分以外は着色するよう構成されるとともに，前記透明部分の近傍であって，前記凹部に設けた表示手段と重ならない位置に，前記電子機器の情報を予め表示したので，デザイン性にも優れ，更に，雨風に強い表示板の構造を備えた電子機器のケースを提供できる。
【００３０】
請求項４の発明によれば，請求項１乃至請求項３のそれぞれに記載の電子機器のケースにおいて，前記表示板の裏面には前記ケースと当接する面であって前記凹部と相対向する面を除いた範囲内に粘着剤が備えられ，当該粘着剤でもって前記ケースに固着するように構成したので，簡単でしかも安価に多品種小ロットな製品区分が可能な電子機器のケースを提供できる。
【図面の簡単な説明】
【図１】本願のケースであって，カバーに表示板が取付けられていない状態の正面図を示す。
【図２】表示板及び表示手段（一例としてラベル）をカバーに貼り付ける時の正面図を示す。
【図３】カバーに表示板が取付けられた状態の正面図を示す。
【図４】ケースの実施例の正面図を示す。
【図５】ケースを壁面に取付けたときの側面図を示す。
【図６】カバーの実施例を示す。
【図７】ケース本体の実施例を示す。
【図８】蓋体の実施例を示す。
【図９】連結手段の実施例を示す。
【図１０】図９の連結手段の止部を蓋体に蝶着した説明図。
【図１１】連結手段の係止部を係止手段に取付ける方法を示す。
【図１２】図９の連結手段のケース内における収納状態を示す図４のＨ−Ｈ断面図。
【図１３】図１２において蓋体を外した状態であり，操作部材をドライバーで操作する様子を示す図４のＨ−Ｈ断面図。
【図１４】本願の連結手段における他の実施例を示す。
【図１５】図１４の連結手段のケース内における収納状態を示す図４のＨ−Ｈ断面図。
【図１６】従来例を示す。
【符号の説明】
１…ケース，２…壁面，３…ねじ取付部，３ａ…止着ねじ，３ｂ…ねじ孔，４…ケース本体，５…止着ねじ，５ａ…挿通孔，５ｂ…ねじ穴，６…カバー，６ａ…第１の凹部，６ｂ…第２の凹部，６ｃ…表示手段（一例としてラベル），７…支持柱，７ａ…ねじ棒，７ｂ…リブ，８…高周波回路，９…回路基板，９ａ…回路要素，１０…防水パッキン，１１…被調整回路要素（一例として可変抵抗器），１１ａ…操作部材，１２…凹溝，１３…シールドメッシュ，１４…ねじ孔，１５…係止手段，１６，１７…係止片，１６ａ，１７ａ…係止片の基部，１６ｂ，１７ｂ…係止片の端部，１８…表示板，１８ａ…表示部，１８ｂ…蓋体用孔，２０…蓋体，２１…雄ねじ，２２…嵌合溝，２３…ねじ軸，２４…Ｏリング，２５…溝，２６…ねじ穴，２７…止着ねじ，３０…連結手段，３１…係止部，３２…連結部，３３…止部，３４…凹部，３５…当付部，３５ａ…端部，４１…Ｆ型コネクター，４２…アース接続端子，Ｌ１…係止片の基部１６ａと１７ａ間の寸法，Ｌ２…係止片の端部１６ｂと１７ｂ間の寸法，Ｗ１…係止部の幅，Ｗ２…凹部間の幅
【図１】
2004022953.tif 000003
【図２】
2004022953.tif 000004
【図３】
2004022953.tif 000005
【図４】
2004022953.tif 000006
【図５】
2004022953.tif 000007
【図６】
2004022953.tif 000008
【図７】
2004022953.tif 000009
【図８】
2004022953.tif 000010
【図９】
2004022953.tif 000011
【図１０】
2004022953.tif 000012
【図１１】
2004022953.tif 000013
【図１２】
2004022953.tif 000014
【図１３】
2004022953.tif 000015
【図１４】
2004022953.tif 000016
【図１５】
2004022953.tif 000017
【図１６】
2004022953.tif 000018